【事件の表示】
　平成１０年特許願第２０４９７５号「表示装置」拒絶査定に対する審判事件［平成１１年　５月２８日出願公開、特開平１１−１４６１１１］について、次のとおり審決する。
【結　論】
　本件審判の請求は、成り立たない。
【理　由】
１　手続の経緯・本願発明
　本願は、昭和６３年８月１２日に出願した特願昭６３−２０２５９５号の一部を分割し新たな特許出願とした特願平９−２８６６４０号の一部を更に分割して、平成１０年７月２１日に新たな特許出願としたものであって、その請求項１に係る発明（以下「本願発明」という）は、平成１１年１１月５日、平成１２年１月２１日、及び平成１４年３月１８日の手続補正により補正された明細書及び図面の記載からみて、特許請求の範囲の請求項１に記載された次のとおりのものである。
「【請求項１】　複数の機能を有する第１の画面と、
　少なくとも第１の機能及び第２の機能を有する第２の画面と
を少なくとも備え、記録装置に対する機能選択を行うために用いる表示装置であって、
　前記第１の画面が表示されている状態で、表示画面の切り換え入力をすることにより前記第１の画面が有する前記複数の機能を全て不表示状態とし、前記第２の画面を表示すると共に、
　前記第２の画面が表示されている際、前記第１の機能を選択することにより、前記第２の画面の一部を切り換えて選択された前記第１の機能に関連する内容を表示する第１の領域と、
　前記第２の画面が表示されている際、前記第２の機能を選択することにより、前記第２の画面の一部を切り換えて選択された前記第２の機能に関連する内容を表示する第２の領域とを有し、
　前記第１の領域は、前記第２の領域と同じ領域及び異なる領域を含むことを特徴とする表示装置」
２　引用刊行物
　これに対して、当審の拒絶理由で引用した特開昭６２−８１６５３号公報（昭和６２年４月１５日出願公開。以下「引用例」という。）には、「複写装置」の発明に関し、
　ア　発明の目的について、「本装置は、装置コストを大幅に上昇させることなく、複写機の操作性を良くすることを目的とする」（２頁左下欄３行〜５行）こと、
　イ　発明の構成について、発明を実施する一形式の複写機とそれに接続した携帯型のパーソナルコンピュータを示す第１図に関連して、「パーソナルコンピュータ８００には、多数の文字を表示する液晶表示器８７０とキーボード８８０が備わっている」（３頁右下欄３行〜５行）こと、
　ウ　同じく発明の構成について、前記パーソナルコンピュータ８００の概略動作を示す図５に関連して、「プログラムがスタートすると、（中略）ステップ１１５に進んで作業メニューを表示する。ここでは、第６ａ図に示す画面が表示される。つまり、「モードセット」，「メンテナンス」及び「終了」のいずれかの指定ができることが表示される。（中略）１又は２がキー入力されると、ステップＨ８に進んで再び作業メニューを表示する。ここでは、入力された値に応じて異なる画面が表示される。即ち、１が入力され時は「モードセット」の指定であるから第６ｂ図に示す画面を表示し、２が入力された時は「メンテナンス」の指定であるから第６ｃ図に示す画面を表示する」（５頁右下欄２行〜２０行）こと、
　エ　同じく「モードセット」を指定すると、オートリセット時間の設定，初期状態でのコピー倍率の設定，初期状態でのコピー濃度の設定，初期状態での両面モード/片面モードの設定，初期状態でのコピー紙サイズの設定，複写機電源のオン/オフ時刻の設定，初期状態でのソータ動作モード（ソート，スタック又は通常モード）の設定，及び初期状態でのＡＤＦ動作モードの設定ができる」（６頁左上欄１行〜９行）こと、
　オ　同じく「どの処理を行うかは、オペレータがキー入力によって指定する（Ｈ９）。処理終了以外の指定であると、指定された処理の内容に応じて、その後の操作手順を表示する（Ｈ１１）。その後は、指定した処理毎に定まる手順に従って、所定の処理を行う。（中略）例えば、初期状態でのコピー紙サイズの設定を更新したい場合、プログラムをスタートさせた直後に第６ａ図に示す画面が表示されるので、１をキー入力する。すると第６ｂ図に示す画面が表示されるので、今度は５をキー入力してコピー紙サイズ設定モードを選択する。このモードを選択すると、図示しないが、各種紙サイズ（例えばＡ５，Ｂ５，Ｂ４，Ａ４，Ａ３等々）とそれらの各々に対して入力すべき数値との対応表が表示器８７０に表示されるので、希望するサイズの数値をキー入力する」（６頁左上欄１６行〜左下欄１行）こと、
　カ　同じく「上記処理が終了すると、再び第６ｂ図に示すメニュー画面が表示され、他のモード設定が可能になる。その状態で９キー入力すると、第６ａ図に示すメニュー画面が表示され、メンテナンス処理の選択が可能になる」（６頁左下欄１４行〜１８行）こと、
　キ　発明の効果について、「本発明によれば、装置の初期状態で設定される各種モードを各ユーザの要求に応じて任意に変更できるので操作性がよい。初期状態の変更にはパーソナルコンピュータ等を用いることができるので、変更操作を簡単にしうる」（７頁右上欄１行〜５行）こと、
がそれぞれ記載されている。
３　対比・判断   
　そこで、本願発明と引用例に記載された発明とを対比すると、
　(a) 引用例に記載された発明は、複写機に接続され、多数の文字を表示する液晶表示器８７０を備えた携帯型のパーソナルコンピュータ８００を備えており（上記２イ参照）、前記液晶表示器８７０は、第６ａ図記載のメニュー画面において、１をキー入力し、モードセットを指定したときに、オートリセット時間、コピー倍率、コピー紙サイズ等（第１の機能、第２の機能に相当）の選択を行う第６ｂ図記載の画面（第２の画面に相当）と、２をキー入力し、メンテナンスを指定したときに、紙詰まりチェック、コピー枚数、定着温度等（複数の機能に相当）のメンテナンス処理の選択を行う第６ｃ図記載の画面（第１の画面に相当）を表示し、これらの表示画面を用いて、複写機に対するモードセット及びメンテナンスを行うものである（上記２ウ、エ参照）から、
「複数の機能を有する第１の画面と、第１の機能及び第２の機能を有する第２の画面とを備え、記録装置に対する機能選択を行うために用いる表示装置」である点で、本願発明と差異がない。
　(b)引用例に記載された発明は、前記したように、第６ａ図記載のメニュー画面において、１が入力された時は、モードセットの指定である第６ｂ図に示す画面（第２の画面）を表示し、２が入力された時はメンテナンスの指定である第６ｃ図に示す画面（第１の画面）を表示するものであり（上記２ウ、エ参照）、第６ｂ図に示す画面（第２の画面）を表示している状態で、終了キーである９をキー入力した後、第６ａ図に示すメニュー画面に戻って、２を入力したときは、メンテナンスの指定である第６ｃ図に示す画面（第１の画面）を表示するものである（上記２カ参照）から、
「前記第１の画面が表示されている状態で、表示画面の切り換え入力をすることにより前記第１の画面が有する前記複数の機能を全て不表示状態とし、前記第２の画面を表示する」点で、本件発明と差異がない。
　(c)引用例に記載された発明は、モードセットを示す第６ｂ図に示す画面（第２の画面）が表示されている際、例えば、コピー紙サイズ設定モード（第１の機能に相当）を選択すると、図示しないが、各種紙サイズ（例えばＡ５，Ｂ５，Ｂ４，Ａ４，Ａ３等々）とそれらの各々に対して入力すべき数値との対応表を表示器８７０に表示するものである（上記２オ参照）から、表示する領域が「第１の領域」であり、「前記第２の画面の一部を切り換えて」表示する点を除き、
「前記第２の画面が表示されている際、前記第１の機能を選択することにより、選択された前記第１の機能に関連する内容を表示する領域」を備える点で、本願発明と差異がない。
　
　(d)引用例に記載された発明は、前記したように、モードセットを示す第６ｂ図に示す画面（第２の画面）が表示されている際、例えば、５をキー入力してコピー紙サイズ設定モード（第１の機能に相当）を選択すると、図示しないが、各種紙サイズ（例えばＡ５，Ｂ５，Ｂ４，Ａ４，Ａ３等々）とそれらの各々に対して入力すべき数値との対応表を表示器８７０に表示するものであり、明記はされていないが、他のキー、例えば、３をキー入力し、コピー倍率設定モード（第２の機能に相当）を選択した場合には、コピー倍率設定のための内容を表示するものであることが明かであるから、表示する領域が「第２の領域」であり、「前記第２の画面の一部を切り換えて」表示する点を除き、
「前記第２の画面が表示されている際、前記第２の機能を選択することにより、選択された前記第２の機能に関連する内容を表示する領域」を備える点で、本願発明と差異がない。
　したがって、両者は、
「複数の機能を有する第１の画面と、第１の機能及び第２の機能を有する第２の画面とを備え、記録装置に対する機能選択を行うために用いる表示装置であって、前記第１の画面が表示されている状態で、表示画面の切り換え入力をすることにより前記第１の画面が有する前記複数の機能を全て不表示状態とし、前記第２の画面を表示すると共に、前記第２の画面が表示されている際、前記第１の機能を選択することにより、選択された前記第１の機能に関連する内容を表示する領域と、前記第２の画面が表示されている際、前記第２の機能を選択することにより、選択された前記第２の機能に関連する内容を表示する領域とを有する表示装置」である点で一致し、次の点で相違する。
(相違点)
　本願発明は、第２の画面が表示されている際に、選択された前記第１の機能、及び第２の機能に関連する内容の表示を、「前記第２の画面の一部を切り換えて選択された前記第１の機能に関連する内容を表示する第１の領域」、及び「前記第２の画面の一部を切り換えて選択された前記第２の機能に関連する内容を表示する第２の領域」に表示するようにし、更に、「前記第１の領域は、前記第２の領域と同じ領域及び異なる領域を含む」ようにしているのに対して、引用例に記載された発明は、前記第１の機能、及び第２の機能に関連する内容が別の画面で表示されるのか、同じ第２の画面の一部に表示されるのか明記されていない点。
　そこで、検討すると、例えば、選択画面（第２の画面）中に表示された各種選択キー（第１の機能、第２の機能）の選択に応じ、その選択キーの機能に関連する内容、例えば、前記選択キーの機能の下位概念の選択肢を表示する場合、前記選択画面の一部を切り換えて、その部分に前記下位概念の選択肢を表示すること、そして、その際、前記一部領域の大きさを各種選択キーに応じて異ならせることは、ポップアップメニュー表示でみられるように、当業者に周知である（必要であれば、特開昭６２−７３３２７号公報参照）から、刊行物１に記載された発明において、選択された前記第１の機能、及び第２の機能に関連する内容の表示を、「前記第２の画面の一部を切り換えて選択された前記第１の機能に関連する内容を表示する第１の領域」、及び「前記第２の画面の一部を切り換えて選択された前記第２の機能に関連する内容を表示する第２の領域」に表示するようにすることは、当業者が格別の創意工夫を要することなく容易になし得ることである。
　また、表示器の表示画面の有効利用を図るために、表示すべき複数の画面領域を重ねることも当業者に周知のことであり、これら２つの領域をどのような範囲で重ね合わせるかは、当業者が設計において、適宜決定し得る事項にすぎないから、「前記第１の領域は前記第２の領域と同じ領域及び異なる領域を含む」ものとすることは、当業者が格別の創意工夫を要することなく容易になし得ることである。
　そして、本願発明の構成によりもたらされる効果も引用例に記載された発明、及び周知技術から当業者が容易に予測し得る程度のものであり格別のものではない。
４　むすび
　以上のとおりであるから、本願発明は、引用例に記載された発明、及び周知技術に基いて当業者が容易に発明をすることができたものと認められるので、特許法第２９条第２項の規定により、特許を受けることができない。
　よって、結論のとおり審決する。